(57)【要約】【課題】店員が大入賞口へ遊技球を容易に流し込むことができるパチンコ遊技機を提供する。【解決手段】本発明に係るパチンコ遊技機１は、開閉扉３８の上面に櫛形状の球誘導補助板４５を前後方向へ回動可能に軸支した。そして、球誘導補助板４５の櫛歯４９が透明板２１の定常位置より前方に配置される前方突出位置βと、球誘導補助板４５が開閉扉３８の球誘導面４４内に配置される退避位置αとに位置変換可能とした。かかる構成にあって、補償サービスを行う店員は、前枠扉６を開放し、開閉扉３８を前方傾斜させた後、球誘導補助板４５を前方に回動させて退避位置αから前方突出位置βとする。そして、球誘導補助板４５を利用して遊技球を大入賞口３７内へ流し込む。流し込み作業が終了すると、球誘導補助板４５を後方へ回動させて前方突出位置βから退避位置αとする。退避位置αの球誘導補助板４５は、開閉扉３８が起立状態となると、大入賞口３７内に収容される。【選択図】図８
2008000474.tif 000002
【特許請求の範囲】
【請求項１】
本体枠に開閉可能に枢設された透明板保持扉に保持され、該透明板保持扉の遮閉状態で定常位置となる透明板と、
前記定常位置の透明板から所定の離間距離だけ後方へ離れた位置に配置されてなる遊技盤と、
該遊技盤面上に配置される大入賞口と、
前記遊技盤に固設された固定部材に枢支され、後方へ回動して起立状態となると前記大入賞口を遮閉して該大入賞口への遊技球通過を不能とすると共に、前方へ回動して前方傾斜状態となると前記大入賞口を開放し、かつ当該前方傾斜状態で上方に向く面を球誘導面として、前記遊技盤面上を流下する遊技球を前記大入賞口内へ誘導する開閉扉と
を備えたパチンコ遊技機において、
前記開閉扉には、表面に球誘導補助面が形成されてなる球誘導補助板が、
前記開閉扉の前記球誘導面内に配置されてなる退避位置と、
前記球誘導補助面と、前方傾斜状態の前記開閉扉の前記球誘導面とが連続し、かつ当該球誘導補助面の少なくとも一部が、前記透明板の定常位置よりも前方へ位置してなる前方突出位置とに、位置変換可能に配設されてなるものであることを特徴とするパチンコ遊技機。
【請求項２】
前記球誘導補助板は、
前記開閉扉の先端縁を回動軸として当該開閉扉に前後方向へ回動可能に枢支されてなり、
前記開閉扉の前方傾斜状態で前記退避位置から前方へ回動すると、前記球誘導補助面と前記球誘導面とが連続する前方突出位置に位置変換され、
前記退避位置で前記開閉扉が起立状態となると前記大入賞口内に収容されてなるものであることを特徴とする請求項１記載のパチンコ遊技機。
【請求項３】
前記球誘導補助板は、
前記球誘導面上を前後方向へスライド移動可能に、前記開閉扉へ被着されてなり、
前記開閉扉の前方傾斜状態で前方へスライド移動すると、前記球誘導補助面と前記球誘導面とが連続する前方突出位置に位置変換され、
前記退避位置で前記開閉扉が起立状態となると前記大入賞口内に収容されてなるものであることを特徴とする請求項１記載のパチンコ遊技機。
【発明の詳細な説明】
【技術分野】
【０００１】
本発明は、大入賞口を備えたパチンコ遊技機に関するものである。
【背景技術】
【０００２】
従来のパチンコ遊技機は、透明なガラス板（本願に係る透明板）を保持する保持扉が最前位置に枢支されており、この保持扉が遮閉状態となると、ガラス板が遊技者の正面に位置し（この位置が本願に係る定常位置）、このガラス板を介して後方の遊技盤が視認可能となる。そして、この保持扉の遮閉状態で遊技者が発射ハンドルを操作して遊技球を発射すると、発射された遊技球は、ガラス板と遊技盤との間に形成された遊技空間へ放出されると共に、遊技盤に植設された遊技釘等に衝突しながら当該遊技空間を落下する。
【０００３】
ところで、前記遊技盤の前面には、大入賞口が設けられている。また、この大入賞口には、その開口を開放状態又は閉鎖状態とする開閉扉が設けられている。そして、いわゆる「大当たり」が発生すると、前記開閉扉が前方に傾倒した前方傾斜状態となることによって当該大入賞口は開放状態となると共に、遊技空間を落下してくる遊技球が当該開閉扉により当該大入賞口内へ誘導される。一方、「大当たり」が終了すると、開閉扉が前方傾斜状態から起立状態に変化することにより当該大入賞口は閉鎖状態となって球通過不能となる（例えば、特許文献１参照。）。
【０００４】
また、従来のパチンコ遊技機には、次回の「大当たり」が発生するまで大当り確率が高くなる確率変動機能が搭載されている。この確率変動機能が有効となる期間は、遊技者が最も待ち望む遊技状態のひとつであり、頻繁に発生するものではないため希少価値も高く、この遊技状態が発生したときはできるだけ長く当該期間が継続されることを遊技者は期待して遊技する。このため、例えばこの確率変動期間中に遊技店の閉店時間となってしまった場合は、そこでそのまま遊技を終了させると遊技者の利益が損なわれるため、利益を補償すべく、閉店時間において確率変動の遊技状態にある遊技者を対象に、「大当たり」１回分の出玉を補償するサービスが遊技店により通常行われている。具体的にこの補償サービスの段取りとしては、店員がまずガラス板の保持扉を開放して遊技盤を前方に露出させ、手で直接大入賞口の開閉扉を前方に傾倒させて大入賞口を開放状態とし、所定数（１回の大当たりで入賞可能な球数）の遊技球を当該大入賞口内へ流し込むことによって行われている。
【０００５】
【特許文献１】特開２００３−２０５１０５号公報
【発明の開示】
【発明が解決しようとする課題】
【０００６】
しかしながら、前記大入賞口は、始動口を兼ねた普通電動役物（変動入賞装置）の直下に配置されており、しかも当該大入賞口の付近には所定高さの遊技釘が前方向きに複数植設されているため、店員が立った姿勢で開閉扉を開けつつ斜め上方から当該大入賞口へ遊技球を流し込もうとしても、前記した普通電動役物や遊技釘が邪魔をして流し込み難く、流し込む時に遊技球を零してしまう場合があるという問題があった。一方、遊技球を零さないように作業しようとすると、慎重な作業が要求されて作業時間が必要以上にかかってしまうという問題があった。さらにこの問題を検討すると、従来構成の開閉扉は、上記補償サービスがガラス板を保持する保持扉を開放して行う作業であるにもかかわらず、保持扉遮閉時におけるガラス板と遊技盤との距離内に収まる程度しか補償サービス時に開放しない構成である。このため、従来構成は、複数の使用態様（遊技時あるいは補償サービス時）の変化に対して臨機応変に即応できる構成となっていなかった。
【０００７】
そこで、本発明は、店員が補償サービスを迅速且つ確実に行うことができるパチンコ遊技機を提供することを目的とするものである。
【課題を解決するための手段】
【０００８】
本発明は、本体枠に開閉可能に枢設された透明板保持扉に保持され、該透明板保持扉の遮閉状態で定常位置となる透明板と、前記定常位置の透明板から所定の離間距離だけ後方へ離れた位置に配置されてなる遊技盤と、該遊技盤面上に配置される大入賞口と、前記遊技盤に固設された固定部材に枢支され、後方へ回動して起立状態となると前記大入賞口を遮閉して該大入賞口への遊技球通過を不能とすると共に、前方へ回動して前方傾斜状態となると前記大入賞口を開放し、かつ当該前方傾斜状態で上方に向く面を球誘導面として、前記遊技盤面上を流下する遊技球を前記大入賞口内へ誘導する開閉扉とを備えたパチンコ遊技機において、前記開閉扉には、表面に球誘導補助面が形成されてなる球誘導補助板が、前記開閉扉の前記球誘導面内に配置されてなる退避位置と、前記球誘導補助面と、前方傾斜状態の前記開閉扉の前記球誘導面とが連続し、かつ当該球誘導補助面の少なくとも一部が、前記透明板の定常位置よりも前方へ位置してなる前方突出位置とに、位置変換可能に配設されてなるものであることを特徴とするパチンコ遊技機である。ここで、前記球誘導補助面と、前方傾斜状態の前記開閉扉の前記球誘導面とは、必ずしも各面が整一に連続する必要はなく、少なくとも各面間で遊技球が転動可能な程度に連続していれば良い。したがって、各面間に段差があっても遊技球が転動可能であれば良い。
【０００９】
かかる構成は、遊技店の店員が、例えば大当たり１回分の出玉を補償するサービスを行い易くするためのものである。さらに詳述すると、この補償サービスを行う店員は、まず、透明板を保持する透明板保持扉を開放する。そして、前方へ開放された遊技盤に配設された大入賞口の開閉扉を直接手で把持して前方傾斜状態とし、大入賞口を遊技球通過可能に開口する。さらに、店員は、当該開閉扉に配設されている球誘導補助板を前記前方突出位置に位置変換させる。そうすると、この球誘導補助板に形成された球誘導補助面が、透明板の定常位置よりも前方へ配置されることとなる。さらに、この球誘導補助面は、前方傾斜状態にある開閉扉の球誘導面と遊技球が転動可能な程度に連続するため、店員はこの球誘導補助面上に遊技球を導けば、遊技球が球誘導補助面及び球誘導面を転動流下して、そのまま大入賞口内へ流し込まれることとなる。このように本発明は、従来に比して店員の作業スペース近くで遊技球を大入賞口に流し込む作業が可能となることにより、作業が容易となり、また遊技球を零すことなく確実に前記補償サービスを行うことが可能となる。また、この球誘導補助板は、開閉扉に備え付けられているため、店員は補償サービスのために別途道具を準備する必要がなく、手間がかからない。
【００１０】
また、上記構成にあって、前記球誘導補助板は、前記開閉扉の先端縁を回動軸として当該開閉扉に前後方向へ回動可能に枢支されてなり、前記開閉扉の前方傾斜状態で前記退避位置から前方へ回動すると、前記球誘導補助面と前記球誘導面とが連続する前方突出位置に位置変換され、前記退避位置で前記開閉扉が起立状態となると前記大入賞口内に収容されてなる構成が提案される。
【００１１】
かかる構成は、簡易構造により球誘導補助板を前方突出位置と退避位置とに位置変換可能であると共に、開閉扉が大入賞口を閉鎖状態としている場合に、当該球誘導補助板を大入賞口内に収容可能としたものである。かかる構成とすることにより、球誘導補助板は迅速に位置変換可能となって、補償サービスを時間短縮することができる。また、球誘導補助板を開閉扉に配設した場合でも、大入賞口が開放又は閉鎖している遊技状態において遊技球の流下や、大入賞口付近の視認性を妨げることがない。
【００１２】
また、前記球誘導補助板は、前記球誘導面上を前後方向へスライド移動可能に、前記開閉扉へ被着されてなり、前記開閉扉の前方傾斜状態で前方へスライド移動すると、前記球誘導補助面と前記球誘導面とが連続する前方突出位置に位置変換され、前記退避位置で前記開閉扉が起立状態となると前記大入賞口内に収容されてなる構成であっても良い。
【００１３】
かかる構成とすることにより、簡易構造によって球誘導補助板を前方突出位置と退避位置とに位置変換可能とすることができる。また、球誘導補助板を開閉扉に配設した場合でも、大入賞口が開放又は閉鎖している遊技状態において遊技球の流下や、大入賞口付近の視認性を妨げることがない。
【発明の効果】
【００１４】
本発明のパチンコ遊技機は、球誘導補助面を具備した球誘導補助板を、透明板の定常位置よりも手前に球誘導補助面の一部が配置される前方突出位置に位置変換可能な構成としたため、従来に比して店員の作業スペースに近い位置で遊技球を大入賞口に流し込む作業が可能となり、容易かつ安定して前記作業を行うことができる効果がある。また、店員は補償サービスの準備に手間がかからない効果もある。
【００１５】
また、前記球誘導補助板が、開閉扉の前方傾斜状態で退避位置から前方へ回動すると前方突出位置に位置変換され、退避位置で開閉扉が起立状態となると大入賞口内に収容されてなる構成とした場合は、上述の流し込み作業を容易としつつ、遊技中の遊技球の流れや、大入賞口付近の視認性等を妨げない効果がある。
【００１６】
また、前記球誘導補助板が、開閉扉の前方傾斜状態で前方へスライド移動すると前方突出位置に位置変換され、退避位置で開閉扉が起立状態となると大入賞口内に収容されてなる構成とした場合は、上述の流し込み作業を容易としつつ、遊技中の遊技球の流れや、大入賞口付近の視認性等を妨げない効果がある。
【発明を実施するための最良の形態】
【００１７】
<第一実施例>
第一実施例のパチンコ遊技機１は、図１，２に示されるように、遊技島設備に固定される木製の外枠２と、この外枠２の開口部分に取り付けられた遊技機本体３とで構成されている。
【００１８】
前記遊技機本体３は、板状の本体枠５（図２参照）を備え、この本体枠５が上記外枠２にヒンジ部材４を介して枢着されている。また、遊技機本体３は、左側縁が前記本体枠５に枢着された前枠扉６も備えている。
【００１９】
この前枠扉６は、図１，２に示されるように、後述する下部パネル２３より上方に位置する本体枠５の前面領域を覆う寸法形状に設定されている。そして、前記本体枠５の前方で開閉し、本体枠５を閉鎖する遮閉状態（図１参照）、又は、本体枠５が露出する開放状態（図２参照）とに位置変換される。
【００２０】
さらに、この前枠扉６の中央には、ほぼ円形の遊技領域開口部２２が形成されており、この遊技領域開口部２２に透明板２１が後方から装着されている。かかる構成にあって、前枠扉６が遮閉状態（図１参照）となると、遊技領域開口部２２の透明板２１が遊技者に対して正対し、この透明板２１を介して後述の遊技盤８が視認可能となる。なお、この透明板２１を保持する前枠扉６により、本発明に係る透明板保持扉が構成される。
【００２１】
また、前枠扉６の下部前面であって、前記遊技領域開口部２２の直下位置には、遊技球を貯留する上皿１０が配設されている。また、本体枠５の前面下部には、下部パネル２３が設けられており、この下部パネル２３の前面中央に余剰の遊技球を貯留する下皿１１が配設されている。さらに、下皿１１の右方には発射操作部２５が突設され、その外周部には、遊技者が回動操作可能な発射レバー２６が設けられている。
【００２２】
また、図２に示されるように、本体枠５の中央には、合板製の遊技盤８が脱着可能に装着されている。すなわち、前枠扉６の遮閉状態にあっては、透明板２１と遊技盤８とが対向状に配置されることとなる。なお、前枠扉６の遮閉状態における透明板２１の位置を透明板２１の定常位置とし、遊技盤８が、定常位置の透明板２１から所定の離間距離だけ後方へ離れて配置されることとなる。なお、図２は、遊技盤８前面の詳細を省略して示している。
【００２３】
さらに、遊技盤８の下方位置には、金属板からなる発射機構板１６が配設されていると共に、この発射機構板１６の前面右下部に、左右方向へ揺動可能な発射鎚１５が保持されている。そして、前記した発射レバー２６の操作に連動して発射鎚１５が左右方向へ間欠的に揺動することにより、所定の打球発射位置にある遊技球が順次打圧される。そして、発射鎚１５によって打圧された遊技球は、隣接して設けられた長尺状の発射レール１８により、左上方向へ誘導されることとなる。
【００２４】
また、図２，３に示されるように、遊技盤８の前面には、ガイドレール１３が湾曲状に取り付けられており、このガイドレール１３によってほぼ円形の遊技領域１２が区画されている。さらに、図３に示されるように、遊技領域１２の中央には、センターケース２７が配設されている。このセンターケース２７内には液晶表示器、ＣＲＴ表示器等からなる図柄表示装置２８が設けられており、この図柄表示装置２８に形成された図柄表示領域Ｆに三つの特別図柄Ａ，Ｂ，Ｃ等が表示される。なお、特別図柄Ａ，Ｂ，Ｃは、「０」〜「９」の１０個の数字からなる図柄により構成されている。
【００２５】
また、センターケース２７の両隣には、普通図柄作動ゲート（普通図柄始動領域）２９，２９が設けられている。そして、普通図柄作動ゲート２９に遊技球が通過して、当該普通図柄作動ゲート２９に内蔵された普通図柄始動スイッチＳ2（図３参照）がＯＮとなると、図柄表示領域Ｆの普通図柄表示部３０で普通図柄が変動表示される構成となっている。
【００２６】
また、センターケース２７の直下位置には、上端に始動口３１が形成され、かつこの始動口３１の両脇に開閉翼片３５，３５が軸支されてなる普通電動役物３２が配設されている。この普通電動役物３２の内部は、特別図柄始動領域が形成されており、普通電動役物ソレノイド（図４参照）によって傾動する前記開閉翼片３５，３５が始動口３１の開放度を変化させる構成となっている。そして前記の普通図柄が、所定の当り態様となった場合には、前記開閉翼片３５，３５が約０．５秒拡開して、始動口３１の開放度を広げ、当該始動口３１に遊技球が入り易い状態とする。なお、普通電動役物３２内には、光電スイッチ、リミットスイッチ等で構成される特別図柄始動スイッチＳ1（図３参照）が備えられ、この特別図柄始動スイッチＳ1による遊技球通過検知に起因して、図柄表示領域Ｆで表示される特別図柄Ａ，Ｂ，Ｃが変動開始し、所定時間変動後、所定の図柄で停止表示される。
【００２７】
前記普通電動役物３２のさらに下方には、可変入賞装置３６が配設されている。図５に示されるように、この可変入賞装置３６は、横長で直方体状の装置筐体５０と、装置筐体５０の前面に配設され、遊技盤８前面の一部を構成することとなる薄板状で横長の取付板５１とを備えている。そして、前記取付板５１の中央に、遊技球が通過可能な横長矩形の大入賞口３７が開口している。また、この大入賞口３７には、前後方向に回動可能に軸支された横長薄板状の開閉扉３８が配設されている。なお、本実施例に係る開閉扉３８が枢支された可変入賞装置３６の取付板５１により、本発明に係る遊技盤に固設された固定部材が構成される。
【００２８】
さらに可変入賞装置３６の開閉扉３８について詳述すると、図６ａ，ｂに示されるように、開閉扉３８は、大入賞口３７の周縁に設けられた軸孔５４（図５参照）に挿通される左右方向の回転軸３９，３９を下端に備えている。また、図６ｂに示されるように、後述する大入賞口ソレノイド４２の連結部材４３と係合する単一で帯板状の係合片４０が、回転軸３９に近い角部に外方（図６では左方向）へ突成するようにして設けられている。ここで、この係合片４０は、開閉扉３８の上面に対して前方へ所定角度だけ傾けて設けられている。なお、本実施例に係る開閉扉３８には、後述するように、薄板状の球誘導補助板４５が乗載されているが、この球誘導補助板４５は本発明の要部に係るため後で詳述する。
【００２９】
一方、図５，６に示されるように、前記装置筐体５０の背面には、大入賞口ソレノイド４２が取り付けられている。この大入賞口ソレノイド４２は、図６ｂに示されるように、上下に進退する棒状のプランジャ（図示省略）に取り付けられた上下方向の圧縮バネ４２ａにより常時下方へ付勢された連結部材４３が接続されており、当該大入賞口ソレノイド４２が通電してＯＮとなると圧縮バネ４２ａの付勢力に抗して連結部材４３が上昇し、ＯＦＦとなると前記付勢力に従って連結部材４３が下降する構成となっている。そして、この大入賞口ソレノイド４２が、前記開閉扉３８の係合片４０上に当該連結部材４３が配置されるように、装置筐体５０に対して位置決め固定されている。
【００３０】
かかる構成にあって、大入賞口ソレノイド４２がＯＦＦとなると、図６ａに示されるように、連結部材４３が下降して該連結部材４３に係るＬ形突出部４３ａの下面が係合片４０の上面を下方へ押圧し、これにより回転軸３９を中心に開閉扉３８が後方へ回動されて当該開閉扉３８が起立状態となる。この起立状態にあっては、図５に示されるように、大入賞口３７は閉鎖されて遊技球が流入不能となる。一方、大入賞口ソレノイド４２がＯＮとなると、連結部材４３が上昇し、当該連結部材４３による係合片４０の位置規制が解除され、起立状態の開閉扉３８がその自重により前方へ回動開始される。そして、図６ｂに示されるように、連結部材４３が上限位置に到達すると、この位置で再び係合片４０が位置規制され、前記した係合片４０の上面と開閉扉３８の上面との角度に基づき、開閉扉３８全体が前方傾斜状態で維持されることとなる。この前方傾斜状態にあっては、大入賞口３７は開放され、当該大入賞口３７内に遊技球が流入可能となる。
【００３１】
ここで、開閉扉３８の前方傾斜角度は、図９ａに示されるように、前方傾斜時に定常位置の透明板２１に当該開閉扉３８の先端が接触せず、かつ、この開閉扉３８が開放状態にあって、上方から落下してくる遊技球が当該開閉扉３８に捕捉されて、大入賞口３７内へ誘導され得るように設定されている。一方、開閉扉３８が遮閉状態となると、透明板２１と遊技盤８との間隙を落下してくる遊技球は大入賞口３７の前方をそのまま通過し、後述のアウト口２０から機裏に排出されることとなる。
【００３２】
また、大入賞口３７内部には、カウントスイッチＳ3（図４参照）が設けられており、当該大入賞口３７内に流入した遊技球が検出可能となっている。また、大入賞口３７内に流入した遊技球は、装置筐体５０に接続された球通路５３（図９参照）を介して、機裏に設けられた球回収装置に案内されることとなる。なお、これまでに述べた開閉扉３８の寸法形状、及び開閉機構は、従来の構成が好適に適用可能である。
【００３３】
また、前記遊技領域１２内の最下位置には、横長形のアウト口２０が設けられている。そして、当該遊技盤８を転動流下した遊技球がこのアウト口２０に流入すると、機裏に設けられた球回収装置（図示省略）に誘導されることとなる。
【００３４】
次に、図４に従って、パチンコ遊技機１の遊技作動を制御する制御回路を説明する。
主制御基板８０には、パチンコ遊技機１の遊技作動等を制御するための基板回路が設けられており、この基板回路上には主制御用中央制御装置ＣＰＵが配設されている。この主制御用中央制御装置ＣＰＵは、遊技に関する統括的な制御を処理実行するものであって、この主制御用中央制御装置ＣＰＵには、演算処理に用いる動作プログラムを格納する記憶装置ＲＯＭと、必要なデータを随時読み書き可能な記憶装置ＲＡＭとが、データを読み書きするアドレスを指定する情報を一方的に伝えるアドレスバス（図示省略）と、データのやり取りを行うデータバス（図示省略）とを介して接続され、当該主制御基板８０の基板回路を構成している。
【００３５】
また、前記記憶装置ＲＯＭには、制御プログラム、乱数テーブル等の固定データが記憶されている。乱数テーブルには大当り特別乱数Ｋ、大当り図柄乱数Ｌ、リーチ乱数Ｎ、リーチ図柄乱数Ｐ、リーチ態様乱数Ｑ、ハズレ図柄乱数Ｍa ，Ｍb ，Ｍc 、当り普通乱数Ｕ、当り普通図柄乱数Ｖ等が格納され、所定の要件が充足されると主制御用中央制御装置ＣＰＵにて各乱数が選出される。また、記憶装置ＲＡＭには、特別図柄始動スイッチＳ1 、普通図柄始動スイッチＳ2 のＯＮ作動による記憶数等が一時的に記憶される記憶エリア、ソフトタイマを構成するレジスタ領域及びワークエリア等が設けられている。
【００３６】
また、この主制御基板８０の基板回路には、主制御用中央制御装置ＣＰＵが周辺機器とデータ通信を行う入力ポート（図示省略）及び出力ポート（図示省略）が設けられており、この出力ポートを介して主制御基板８０からの制御指令が、図柄表示制御基板８２、音源制御基板８３、光源制御基板８４、及び払出制御基板８５の各入力ポートに向け、一方向に発信されるように接続されている。
【００３７】
ここで、上記の図柄表示制御基板８２には、図柄表示装置２８で表出する図柄表示態様を制御するための基板回路が設けられている。また、この図柄表示制御基板８２は、表示用ドライバが接続されており、主制御基板８０から受信した制御指令信号を図柄制御用中央制御装置ＣＰＵにおいて演算処理し、所定の図柄表示態様を演出する図柄データを表示用ドライバに送信するようにしている。そして、表示用ドライバは、前記図柄データに基づき、図柄表示装置２８に所定の図柄を表出させる。
【００３８】
また、上記の音源制御基板８３には、スピーカから発生する効果音等を制御するための基板回路が設けられている。さらに、この音源制御基板８３は、サウンドジェネレータが接続されており、主制御基板８０から受信した制御指令信号に従ってこのサウンドジェネレータがスピーカに所定の効果音を出力させる。
【００３９】
また、上記の光源制御基板８４には、パチンコ遊技機１に備えられたＬＥＤや装飾ランプといった電飾装置を制御するための基板回路が設けられている。さらに、この光源制御基板８４は、光源作動基板が接続されており、主制御基板８０から受信した制御指令信号に従ってこの光源作動基板が電飾装置等を所定態様で発光させる。
【００４０】
さらにまた、上記の払出制御基板８５には、遊技球の貸球や払出遊技球等を制御するための基板回路が設けられている。さらに、この払出制御基板８５は、払出中継基板が接続されており、主制御基板８０から受信した制御指令信号に従ってこの払出中継基板が賞球ユニット等を所定態様で作動させる。
【００４１】
また、主制御基板８０の入力ポートには盤面中継基板８１を介して上述した特別図柄始動スイッチＳ1、普通図柄始動スイッチＳ2、及びカウントスイッチＳ3が接続され、主制御基板８０が２ｍｓ毎に各スイッチＳ1〜Ｓ3の遊技球検出状態を調べ、遊技球検出があるとその信号が波形整形回路により波形整形されて主制御用中央制御装置ＣＰＵに入力され、その情報を記憶装置ＲＡＭに記憶する。また、主制御基板８０の出力ポートには、盤面中継基板８１を介して大入賞口ソレノイド４２、及び普通電動役物ソレノイドが接続され、主制御用中央制御装置ＣＰＵが所定の条件を選出した場合にＯＮとなって作動される。
【００４２】
次に、パチンコ遊技機１の作動と共に、主制御基板８０等の制御内容を説明する。
遊技球が発射鎚１５によって遊技領域１２に打ち出され、普通図柄始動ゲート２９を通過すると、主制御基板８０の主制御用中央制御装置ＣＰＵは、当該通過により発信される普通図柄始動スイッチＳ2のＯＮ信号に基づき、演算処理して普通図柄を変動表示させる。また、普通図柄が変動表示中のとき、あるいは始動口３１が拡開中のときに、普通図柄始動スイッチＳ2で遊技球が検出されると、主制御基板８０の記憶装置ＲＡＭにその遊技球検出を記憶し、現在の記憶数を図柄表示領域Ｆで表示する。また、普通図柄を変動開始する都度、その記憶数を減算表示し、新たな記憶数を再表示する。なお、普通図柄の最大記憶数は四個であり、それ以上は無効としている。
【００４３】
そして、遊技球通過により普通図柄始動スイッチＳ2がＯＮ作動すると、主制御用中央制御装置ＣＰＵが記憶装置ＲＯＭから当り普通乱数Ｕ、及び当り普通図柄乱数Ｖの乱数値を選出し、その内容を一旦記憶装置ＲＡＭに記憶し、普通図柄が変動開始すると同時に、記憶した内容を調べ、その当り普通乱数Ｕの選出値に対応する当りハズレを決定する。そして当りの場合は、当り普通図柄乱数Ｖにより停止態様を決定し、所定の当り態様で確定表示する。一方、ハズレの場合は、所定のハズレ態様で確定表示する。また、主制御用中央制御装置ＣＰＵは、普通図柄を当りとする場合に、始動口３１を約０．５秒間拡開する。
【００４４】
また、遊技球が始動口３１を通過した場合、主制御用中央制御装置ＣＰＵは、当該特別図柄始動スイッチＳ1のＯＮ作動を盤面中継基板８１を介して認識する。そして、かかる信号により、主制御用中央制御装置ＣＰＵは、記憶装置ＲＯＭに記憶されている大当り特別乱数Ｋ、大当り図柄乱数Ｌ、ハズレ図柄乱数Ｍa ，Ｍb ，Ｍc 、リーチ乱数Ｎ、リーチ図柄乱数Ｐ、リーチ態様乱数Ｑ等の各乱数を選出し、各選出値を一旦、記憶装置ＲＡＭに格納する。さらには、特別図柄始動スイッチＳ1のＯＮ信号に基づき、主制御用中央制御装置ＣＰＵは演算処理して賞球指令信号を払出制御基板８５に発信すると共に、賞球作動に連動する賞球音の発生指令信号を音源制御基板８３に、賞球ランプ等の発生指令信号を光源制御基板８４にそれぞれ発信する。
【００４５】
また、特別図柄始動スイッチＳ1のＯＮ作動、又は主制御基板８０の記憶装置ＲＡＭに記憶されている始動記憶の消化により特別図柄Ａ，Ｂ，Ｃを変動開始すると、主制御用中央制御装置ＣＰＵは、選出された大当り特別乱数Ｋを判定し、大当り図柄乱数Ｌ、ハズレ図柄乱数Ｍa ，Ｍb ，Ｍc のいずれかを有効とすると共に、リーチ乱数Ｎの選定内容に従ってリーチとするかどうかを判定し、リーチの場合にはリーチ図柄乱数Ｐ、リーチ態様乱数Ｑを有効とする。そして、図柄表示装置２８で実行する特別図柄表示態様を制御するための図柄制御指令信号を図柄表示制御基板８２に送信する。
【００４６】
また、上記図柄制御指令信号を受けた図柄表示制御基板８２の図柄制御用中央制御装置ＣＰＵは、図柄制御指令信号に従って、記憶装置ＲＯＭに記憶されている所定の表示プログラムを用いて、図柄表示装置２８で演出する特別図柄Ａ，Ｂ，Ｃの図柄表示態様を決定する。そして、この図柄表示態様に従って特別図柄Ａ，Ｂ，Ｃを順次停止し、特別図柄Ａ，Ｂ，Ｃを確定表示する。
【００４７】
ここで、上述の大当り特別乱数Ｋが当りを選出した場合には、大当り図柄乱数Ｌとリーチ態様乱数Ｑとを有効とし、主制御基板８０は、所定のリーチ作動を実行した後、所定の当り図柄態様に従って特別図柄Ａ，Ｂ，Ｃを確定表示して「大当たり」とする。
【００４８】
ところで、特別図柄Ａ，Ｂ，Ｃが奇数図柄からなる当り態様（例えば、「３，３，３」）であると、これを契機として、大当り作動後に遊技者にとって有利な利益が付与される有利遊技状態となる。この有利遊技状態の一形態としては、「大当たり」となる確率が向上し、かつ特別図柄Ａ，Ｂ，Ｃの変動時間が短縮される確変遊技状態がある。この確変遊技状態では、大当り確率は１６／９５３となる。また、有利遊技状態としては、確変遊技状態のほかに、時間短縮機能のみ作動する時短遊技状態がある。この時短遊技状態は、確変遊技状態の終了直後に発生し、大当り確率は３／９５３（通常確率）となる。なお、有利遊技状態が終了した後に発生する通常遊技状態にあっては、大当り確率は３／９５３となる。
【００４９】
また、上述のように、特別図柄Ａ，Ｂ，Ｃが確定表示して「大当たり」となると、大入賞口開放条件が成立し、主制御用中央制御装置ＣＰＵは、盤面中継基板８１を介して大入賞口ソレノイド４２を駆動して、上述のように開閉扉３８を前方傾斜状態とする。このように大入賞口３７が開放されると、いわゆるラウンドが開始されることとなる。そして、前方傾斜することにより上を向いた開閉扉３８の球誘導面４４が、遊技盤８と透明板２１との間の遊技空間を落下してくる遊技球を順次大入賞口３７内へ誘導し、カウントスイッチＳ3が遊技球を検出してＯＮ作動すると、その信号を盤面中継基板８１を介して主制御基板８０が確認し、入球数を演算する。
【００５０】
また、大入賞口３７の開放状態を、開放時から所定制限時間（３０秒）が経過するまで、又はこの制限時間内でカウントスイッチＳ3により検出された総遊技球数が所定上限数（１０個）となるまで継続する。そして、所定制限時間（３０秒）が経過するか、又は大入賞口３７に流入した遊技球の総数が１０個となると、開閉扉３８を起立させて閉鎖作動する（図５参照）。そして、この遮閉状態となることにより当該ラウンドが終了する。
【００５１】
ところで、前記のラウンドは、大入賞口３７に遊技球が流入することにより、次のラウンドへの移行条件が充足されるものである。そして、この移行条件が充足される限り、ラウンドは最大１５回繰り返される。そして、上述した大入賞口３７に流入した遊技球に基づき払出遊技球数が算出され、所定タイミングで遊技者にその払出遊技球数分の遊技球が払い出される。
【００５２】
次に、本発明の要部について説明する。
本パチンコ遊技機１は、遊技店の閉店時間に確率変動となった遊技者を対象とする補償サービスを行い易くする薄板状の球誘導補助板４５が、上述の開閉扉３８に備え付けられている構成である。
【００５３】
さらに詳述すると、図７等に示されるように、この球誘導補助板４５は、開閉扉３８の上面に配置され、複数の櫛歯４９が左右方向に列設された横長の櫛形状をしている。また、各櫛歯４９を繋ぐ帯状の連成部５２の両端に、左右方向の回動軸４６，４６が突成されている。そして、この回動軸４６が開閉扉３８における先端縁の両端に設けられた左右方向の軸孔４１，４１にそれぞれ挿通されることにより、開閉扉３８の先端縁に球誘導補助板４５が前後方向へ回動可能に保持されることとなる。
【００５４】
一方、上述のように開閉扉３８は前方傾斜状態となるところ、その前方傾斜した際に上を向く開閉扉３８の球誘導面４４には、前後方向を溝方向とする凹溝形状のスリット４８が左右方向へ複数列設されている。そして、開閉扉３８上に球誘導補助板４５が乗載された際（図８ａ参照）に、球誘導補助板４５の各櫛歯４９と各スリット４８とが上下方向で一致して、各スリット４８内に各櫛歯４９が収容される構成となっている。なお、このように、球誘導補助板４５の形状を櫛形状としたのは、球誘導補助板４５の重量を可及的に軽くするためである。
【００５５】
次に、球誘導補助板４５の回動態様について、図８に従って詳述する。
上記構成により、開閉扉３８に軸支された球誘導補助板４５は、回動軸４６を中心にして前後方向に回動することにより、図８ａに示される開閉扉３８の球誘導面４４内に乗載されてなる退避位置αと、図８ｂに示される開閉扉３８の前方に配置されてなる前方突出位置βとに位置変換される。なお、球誘導補助板４５を前方突出位置βとする際は、あらかじめ前枠扉６を開放状態としておくものとする。
【００５６】
図８ａに示される退避位置αにあっては、球誘導補助板４５の各櫛歯４９と、開閉扉３８の各スリット４８とが噛み合いながら、当該球誘導補助板４５が開閉扉３８側に折り畳まれた状態となる。そして、かかる退避位置αにある球誘導補助板４５を、回動軸４６を中心に前方へ回動すると、開閉扉３８の先端面３８ａ（図７参照）と球誘導補助板４５の基端面４５ａ（図７参照）とが面接触して球誘導補助板４５の回動が規制され、開閉扉３８の前方傾斜角度とほぼ同じ傾斜角度となる位置で球誘導補助板４５が固定される。この球誘導補助板４５が開閉扉３８の前方で固定される位置を、前方突出位置βとしている。ここで、この前方突出位置βとなると、球誘導補助板４５の櫛歯４９は、退避位置αにある場合とは逆に、前方を指す態様で保持されることとなる。そして、この櫛歯４９の先端は、図９ｂに示されるように、少なくとも透明板２１の定常位置よりも前方に配置されるように寸法設計されている。さらに、この球誘導補助板４５の前方突出位置βにあっては、球誘導補助板４５と開閉扉３８とがほぼ同じ角度で前方傾斜し、この前方傾斜状態で上を向く球誘導補助板４５の球誘導補助面４７と開閉扉３８の球誘導面４４とが、遊技球が転動可能に前後で連続することとなる。
【００５７】
なお、球誘導補助板４５が退避位置αにある場合は、開閉扉３８の球誘導面４４の大部分は、当該球誘導補助板４５によって隠蔽されている。これに対し、球誘導補助板４５が前方突出位置βにある場合は、開閉扉３８の球誘導面４４が全域に渡って露出することとなる（図８ａにあっては、球誘導補助面４７は隠れて見えない。）。
【００５８】
次に、球誘導補助板４５の使用態様を説明する。
本発明に係る球誘導補助板４５は、確変中に遊技店の閉店時間となってしまった遊技者に対して行う補償サービス時に使用される。
【００５９】
補償サービスを行う店員は、まず前枠扉６を開放し、遊技盤８前面を露出させる。そして、図８ａに示されるように、開閉扉３８を手前に引き出して強制的に前方傾斜状態とする。なお、まだこの前方傾斜状態にあっては、球誘導補助板４５は、開閉扉３８の球誘導面４４内に配置されており、退避位置αにある。
【００６０】
次に、店員は、開閉扉３８に折り込まれている球誘導補助板４５を、回動軸４６を中心にして前方へ回動させて、図８ｂに示されるように、各櫛歯４９が前方へ向いた前方突出位置βに位置変換させる。
【００６１】
ここで、図９ｂに示されるように、球誘導補助板４５が前方突出位置βとなると、その先端は、透明板２１の定常位置よりもさらに前方に位置することとなる。すなわち、球誘導補助面４７が透明板２１の定常位置よりもさらに前方に配置されることとなり、球誘導面４４が前方へ延長されるのと同様の効果が得られることとなる。
【００６２】
そして、店員は、図９ｂに示されるような、球誘導補助板４５の一部が普通電動役物３２及び遊技釘（図示省略）よりも前方に位置する状態にあって、球誘導補助面４７と球誘導面４４とに遊技球を転動させて、遊技球を大入賞口３７に流入させる。そうすると、遊技球は、傾斜状態の球誘導補助面４７と球誘導面４４とを転動して、大入賞口３７内に流入することとなる。ところで、従来構成は、補償サービスが前枠扉を開放して行う作業であるにもかかわらず、前枠扉の遮閉時における透明板と遊技盤との距離内に収まる程度しか開閉扉が補償サービス時に開放しないが、このように、本構成は、遊技球の受け面が遊技盤８面と透明板２１との距離を越えて店員側に延出してくるため、店員の作業姿勢から見ると流し込む場所が広がり、また遊技球の受け面自体も手前側に拡がり、遊技球を零すことなく、迅速に流し込み作業を行うことができる。
【００６３】
また、上記構成は、前方突出位置βにある球誘導補助板４５の前方傾斜角度を流し込み作業を行いやすい角度に適宜調整することが可能である。
【００６４】
一方、流し込み作業を終了した店員は、球誘導補助板４５を後方へ回動させて開閉扉３８側へ折り畳み、球誘導補助板４５を退避位置αとする。そしてさらに、手を離して開閉扉３８の強制的な前方傾斜状態を解除すると、前方傾斜していた開閉扉３８が起立して、大入賞口３７の周縁に引っ掛かることなく球誘導補助板４５が大入賞口３７内へ収容されることとなる。
【００６５】
ところで、図９ａに示されるように、遊技中につき「大当たり」が発生してラウンドが開始すると、開閉扉３８は前方傾斜状態となって球誘導面４４により大入賞口３７に遊技球を誘導するところ、本実施例にあっては、退避位置αで球誘導補助板４５が球誘導面４４の大部分を覆う構成であるため、大入賞口３７が開口するラウンド期間中につき、当該球誘導補助板４５の裏面を遊技球が転動して当該大入賞口３７に流入する場合もある。すなわち、退避位置αの球誘導補助板４５の裏面が、開閉扉３８の球誘導面４４として機能することとなる。さらに、かかる構成にあっては、開閉扉３８と球補助誘導板４５とが重なった状態で盤面上部から落下する遊技球を受け止めることとなるため、球落下時の衝撃に対して有利である。これに対し、補償サービス時は、開閉扉３８と球補助誘導板４５とが重ならない状態となるが、このときは大入賞口３７近くで店員により遊技球が流し込まれるだけであるため、衝撃の問題は生じない。
【００６６】
<第二実施例>
次に、図１０等に従って、第二実施例の構成を説明する。なお、第一実施例と共通する構成については、同符号を付して示すと共に、説明を簡略又は省略する。
第二実施例に係る可変入賞装置５５の球誘導補助板６５は、開閉扉５７の球誘導面５８上に、前後方向へスライド移動可能に被着されている。
【００６７】
さらに詳述すると、球誘導補助板６５は、第一実施例と同様に、櫛歯６９が左右方向に列設された横長の櫛形をなし、櫛歯６９の先端側に位置した両端角部に、外側方向へ突出する扁平状の案内片６７，６７が配設されている。
【００６８】
一方、開閉扉５７は、横長矩形の開閉扉本体５９ａ、及び短冊状の固定部材５９ｂ，５９ｃとで構成されている。ここで、開閉扉本体５９ａの両側面には、それぞれ扁平状の突部６１が設けられていると共に、各固定部材５９ｂ，５９ｃの内側面には、それぞれ装着孔６２が設けられ、各突部６１が各装着孔６２に嵌入されて、開閉扉本体５９ａ、及び固定部材５９ｂ，５９ｃが一体化されることとなる。
【００６９】
また、各固定部材５９ｂ，５９ｃの側面には、前後方向に沿って案内溝６４が貫通状にそれぞれ形成されている。そして、前記した球誘導補助板６５の案内片６７が両案内溝６４，６４にそれぞれ挿入された状態で、各両固定部材５９ｂ，５９ｃが上述のように開閉扉本体５９ａに固定されることにより、案内片６７が案内溝６４内を移動可能となり、開閉扉５７上で球誘導補助板６５が前後にスライド移動することとなる。
【００７０】
ここで、開閉扉５７の球誘導面５８には、前後方向を溝方向とする凹溝状のスリット６８が左右方向に複数設けられている。そして、開閉扉５７上に球誘導補助板６５が重ねられた際（図１１ａ参照）に、球誘導補助板６５の各櫛歯６９と開閉扉５７の各スリット６８とが上下で一致して、各スリット６８内に各櫛歯６９が収容される構成となっている。
【００７１】
次に、球誘導補助板６５の移動態様について、図１１に従って詳述する。
上記構成により、開閉扉５７に被着された球誘導補助板６５は、スライド移動により、図１１ａに示される開閉扉５７の球誘導面５８内に乗載されてなる退避位置αと、図１１ｂに示される開閉扉５７の前方に配置されてなる前方突出位置βとに位置変換される。
【００７２】
図１１ａに示される退避位置αにあっては、球誘導補助板６５の各櫛歯６９と、開閉扉５７の各スリット６８とが噛み合いながら、当該球誘導補助板６５が開閉扉５７上に配置されている。そして、かかる退避位置αにある球誘導補助板６５を前方へ引き出すと、図１１ｂに示されるように、前記案内溝６４内を案内片６７が移動し、図１２ｂに示されるように、当該案内片６７が案内溝６４の端部に当接する位置で位置規制される。この球誘導補助板６５が開閉扉５７の前方で固定される位置を、前方突出位置βとしている。そして、この球誘導補助板６５の先端は、少なくとも透明板２１の定常位置よりも前方に配置されるように寸法設計されている。さらに、この球誘導補助板６５の前方突出位置βにあっては、当該球誘導補助板６５の球誘導補助面６６と開閉扉５７の球誘導面５８とが、遊技球が転動可能に前後で連続することとなる。
【００７３】
次に、球誘導補助板６５の使用態様を説明する。
補償サービスを行う店員は、まず前枠扉６を開放し、遊技盤８前面を作業スペース側に露出させる。そして、図１１ａに示されるように、開閉扉５７を手前に引き出して強制的に前方傾斜状態とする。なお、まだこの前方傾斜状態にあっては、球誘導補助板６５は、開閉扉５７の球誘導面５８内に配置されてなる退避位置αにある。
【００７４】
次に、店員は、開閉扉５７上にある球誘導補助板６５を、前方へ引き出して、図１１ｂ，１２ｂに示されるように、開閉扉５７の前方に位置する前方突出位置βに位置変換させる。
【００７５】
そして、店員は、球誘導補助面６６と球誘導面５８とに遊技球を転動させて、遊技球を大入賞口３７に流入させる。
【００７６】
一方、流し込み作業が終了すると、球誘導補助板６５をスライド移動させて後方へ押し込み、球誘導補助板６５を開閉扉５７の球誘導面５８内に配置される退避位置αとする。そしてさらに、手を離して開閉扉５７の強制的な開放を解除すると、当該開閉扉５７が起立するのに伴い、大入賞口３７の口縁に引っ掛かることなく球誘導補助板６５が大入賞口３７内へ収容されることとなる。
【００７７】
なお、本実施例にあっても、図１２ａに示されるように、遊技中につき、退避位置αの球誘導補助板６５の裏面が、開閉扉５７の球誘導面５８として機能する場合もある。
【００７８】
なお、第二実施例に係る構成にあっては、前後方向のスリット６８と櫛歯６９が相互に案内作用を生じるため、球誘導補助板６５を安定して前後方向に位置変換することができる。また、球誘導補助板６５は、開閉扉５７を前方傾斜させる動作に続いて手前側に引き出すことにより前方突出位置βとなるため、一連の動作で位置変換作業が完了することとなり、円滑な作業が可能である。
【００７９】
なお、これまでに述べた実施例に係る球誘導補助板４５，６５の幅寸法等は、上記例に限定されることなく、適宜変更可能である。
【図面の簡単な説明】
【００８０】
【図１】前枠扉６を遮閉した状態のパチンコ遊技機１の外観斜視図である。
【図２】前枠扉６を開放した状態のパチンコ遊技機１の外観斜視図である。
【図３】遊技盤８の正面図である。
【図４】パチンコ遊技機１の遊技作動を制御する制御回路を示すブロック回路図である。
【図５】可変入賞装置３６の斜視図である。
【図６】（ａ）は起立状態の開閉扉３８を示し、（ｂ）は前方傾斜状態の開閉扉３８を示す斜視図である。
【図７】第一実施例に係る開閉扉３８と球誘導補助板４５とを示す分解斜視図である。
【図８】第一実施例に係る構成であって、（ａ）は球誘導補助板４５が退避位置αにある可変入賞装置３６を示し、（ｂ）は球誘導補助板４５が前方突出位置βにある可変入賞装置３６を示す斜視図である。
【図９】第一実施例に係る構成であって、（ａ）は退避位置αの球誘導補助板４５を示し、（ｂ）は前方突出位置βの球誘導補助板４５を示す縦断側面図である。
【図１０】第二実施例に係る構成であって、開閉扉５７と球誘導補助板６５とを示す分解斜視図である。
【図１１】第二実施例に係る構成であって、（ａ）は球誘導補助板６５が退避位置αにある可変入賞装置５５を示し、（ｂ）は球誘導補助板６５が前方突出位置βにある可変入賞装置５５を示す斜視図である。
【図１２】第二実施例に係る構成であって、（ａ）は退避位置αの球誘導補助板６５を示し、（ｂ）は前方突出位置βの球誘導補助板６５を示す縦断側面図である。
【符号の説明】
【００８１】
１  パチンコ遊技機
５  本体枠
６  前枠扉（透明板保持扉）
８  遊技盤
２１  透明板
３７  大入賞口
３８，５７  開閉扉
４４，５８  球誘導面
４５，６５  球誘導補助板
４６  回動軸
４７，６６  球誘導補助面
５１  取付板（固定部材）
α  退避位置
β  前方突出位置
【図１】
2008000474.tif 000003
【図２】
2008000474.tif 000004
【図３】
2008000474.tif 000005
【図４】
2008000474.tif 000006
【図５】
2008000474.tif 000007
【図６】
2008000474.tif 000008
【図７】
2008000474.tif 000009
【図８】
2008000474.tif 000010
【図９】
2008000474.tif 000011
【図１０】
2008000474.tif 000012
【図１１】
2008000474.tif 000013
【図１２】
2008000474.tif 000014